(57)【要約】【課題】  部品点数の削減及び製作工数の低減を実現するとともに、全体のサイズダウン及び軽量化を図り、保管性及び持運び（携帯）を容易にする。【解決手段】  条幅用紙Ｐを置いて書道を行う書道台１を構成するに際して、条幅用紙Ｐの下に敷く当該条幅用紙Ｐの大きさに対応した柔軟性を有するシート状の下敷部２と、この下敷部２を載置可能な載置面３ｆを有し、かつ長手方向Ｆｖが縦方向（上下方向）となる基板部３と、下敷部２の上端辺２ｕに一端部４ｓを結合し、かつ書道を行う位置Ｘｍで他端部４ｔ側を引張ることができる引張紐部４と、この引張紐部４をガイドし、かつ他端部４ｔ側を引張った際に下敷部２を書道を行う位置Ｘｍから離間する方向Ｆｖｆに移動させるガイド機構部５とを具備する。【選択図】  図１
0003194782.tif 000002
【実用新案登録請求の範囲】
【請求項１】
条幅用紙を置いて書道を行う書道台であって、条幅用紙の下に敷く当該条幅用紙の大きさに対応した柔軟性を有するシート状の下敷部と、この下敷部を載置可能な載置面を有し、かつ長手方向が縦方向（上下方向）となる基板部と、前記下敷部の上端辺に一端部を結合し、かつ書道を行う位置で他端部側を引張ることができる引張紐部と、この引張紐部をガイドし、かつ前記他端部側を引張った際に前記下敷部を書道を行う位置から離間する方向に移動させるガイド機構部とを具備してなることを特徴とする書道台。
【請求項２】
前記基板部は、別体となる他の台の上に載置可能に構成することを特徴とする請求項１記載の書道台。
【請求項３】
前記ガイド機構部は、前記基板部の載置面における上端辺の近傍であって左右方向のほぼ中央に配した第一ガイド部と、前記載置面における上端辺の近傍であって左端辺の近傍又は右端辺の近傍に配した第二ガイド部を備えることを特徴とする請求項１又は２記載の書道台。
【請求項４】
前記第一ガイド部及び／又は前記第二ガイド部には、回動によりガイドするガイドプーリ又は固定した曲面によりガイドするガイドピンを用いることを特徴とする請求項３記載の書道台。
【請求項５】
前記ガイド機構部は、前記基板部の載置面における下端辺の近傍であって左端辺の近傍又は右端辺の近傍から前記第二ガイド部までの間に配することにより引張紐部の引張り位置をガイドする第三ガイド部となるガイドパイプ又はガイドスリットを備えることを特徴とする請求項１〜４のいずれかに記載の書道台。
【考案の詳細な説明】
【技術分野】
【０００１】
本考案は、縦方向に長い書道用紙（条幅用紙）に筆書きを行う際に用いて好適な書道台に関する。
【背景技術】
【０００２】
一般に、縦方向（上下方向）に長い条幅用紙を用いて書道（筆書き）を行う場合、条幅用紙の下側に対しては問題なく筆書きを行うことができるものの、条幅用紙の上側に対しての筆書きは容易でない。このため、条幅用紙の上に載ることなく筆書きを行うには専用の補助器具が必要となる。
【０００３】
従来、この種の補助器具としては、特許文献１で開示される立座両用書道机が知られている。この立座両用書道机は、狭い室内スペースにおいても、正座をはじめ筆記者の様々な姿勢に応じた使い方ができ、かつ下敷の緩みを解消することを目的としたものであり、具体的には、枠体の、前端部に駆動ローラを回転自在に軸着し、後端部に従動ローラを回転自在に軸着し、中間部にテンションアームを揺動可能に枢着すると共にテンションアームにテンションローラを回転自在に軸着し、両枠体の内側に固着した補強桟の上部に長方形の台板を配設した書台部分と、両枠体の前後端部に高さ調整可能に取り付けた脚部とからなる書道机であって、駆動ローラと従動ローラとテンションローラに無端帯状の下敷を回動自在に張設して無端搬送機構を形成したものである。
【先行技術文献】
【特許文献】
【０００４】
【特許文献１】特開平９−１４０４６６号公報
【考案の概要】
【考案が解決しようとする課題】
【０００５】
しかし、上述した特許文献１で開示される従来の立座両用書道机は、次のような問題点があった。
【０００６】
第一に、構造が煩雑となる。したがって、部品点数の増加と製作工数の増加を招き、大幅なコストアップを招いてしまう。しかも、全体のサイズアップと重量アップを招くため、保管性に欠けるとともに、持ち運びも大変となり、十分な実用性を確保する観点からは幾多の問題を包含する。
【０００７】
第二に、テンションアームに支持されたテンションローラを無端帯状の下敷に載せ、いわばベルトコンベアと同様の構造を採用するため、下敷を移動させる操作が煩雑となり、ある程度の操作力も必要になる。したがって、筆書きに集中しなければならない書道を行う観点からも無視できないマイナス要因となる。
【０００８】
本考案は、このような背景技術に存在する課題を解決した書道台の提供を目的とするものである。
【課題を解決するための手段】
【０００９】
本考案は、上述した課題を解決するため、条幅用紙Ｐを置いて書道を行う書道台１を構成するに際して、条幅用紙Ｐの下に敷く当該条幅用紙Ｐの大きさに対応した柔軟性を有するシート状の下敷部２と、この下敷部２を載置可能な載置面３ｆを有し、かつ長手方向Ｆｖが縦方向（上下方向）となる基板部３と、下敷部２の上端辺２ｕに一端部４ｓを結合し、かつ書道を行う位置Ｘｍで他端部４ｔ側を引張ることができる引張紐部４と、この引張紐部４をガイドし、かつ他端部４ｔ側を引張った際に下敷部２を書道を行う位置Ｘｍから離間する方向Ｆｖｆに移動させるガイド機構部５とを具備してなることを特徴とする。
【００１０】
この場合、考案の好適な態様により、基板部３は、別体となる他の台１００の上に載置可能に構成することができる。また、ガイド機構部５は、基板部３の載置面３ｆにおける上端辺３ｕの近傍であって左右方向Ｆｐのほぼ中央Ｘｃに配した第一ガイド部１１と、載置面３ｆにおける上端辺３ｕの近傍であって左端辺３ｐの近傍又は右端辺３ｑの近傍に配した第二ガイド部１２を備えて構成できる。なお、この第一ガイド部１１及び／又は第二ガイド部１２には、回動によりガイドするガイドプーリ１１ｒ，１２ｒ又は固定した曲面によりガイドするガイドピン１１ｐ…を用いることができる。さらに、ガイド機構部５には、基板部３の載置面３ｆにおける下端辺３ｄの近傍であって左端辺３ｐの近傍又は右端辺３ｑの近傍から第二ガイド部１２までの間に配することにより引張紐部４の引張り位置をガイドする第三ガイド部１３となるガイドパイプ（又はガイドスリット）１３ｅを設けることができる。
【考案の効果】
【００１１】
このような構成を有する本考案に係る書道台１によれば、次のような顕著な効果を奏する。
【００１２】
（１）  基本的に大型のローラ部品や脚部品等が不要となるため、比較的簡易な構成とすることができる。したがって、部品点数の削減及び製作工数の低減を実現でき、もって、廉価な書道台１として提供できる。また、全体のサイズダウン及び軽量化を図れるため、保管性に優れるとともに、持ち運び（携帯）も容易になり、十分な実用性を備える書道台１として提供できる。
【００１３】
（２）  手元の引張紐部４を引き寄せるのみで、下敷部２を容易に移動することができる。即ち、煩雑な操作を必要とせず、自然体において引っ張り操作を行うことができるとともに、操作力も僅かで足りる。したがって、下敷部２を移動させるための操作に影響を受けることなく、本来の書道に集中することができる。
【００１４】
（３）  好適な態様により、基板部３を、別体となる他の台１００の上に載置可能に構成すれば、任意に選択できる様々な高さで使用できる。したがって、例えば、台１００として、通常の机を利用すれば、通常の椅子に座った状態で使用できるとともに、高さの低いダンボール箱等を利用すれば、畳み等に座った状態で使用できるなど、使い勝手及び利便性に優れた書道台１として提供できる。
【００１５】
（４）  好適な態様により、ガイド機構部５として、基板部３の載置面３ｆにおける上端辺３ｕの近傍であって左右方向Ｆｐのほぼ中央Ｘｃに配した第一ガイド部１１と、載置面３ｆにおける上端辺３ｕの近傍であって左端辺３ｐの近傍又は右端辺３ｑの近傍に配した第二ガイド部１２を備えて構成すれば、基本的に、二つのガイドにより比較的シンプルな構成とすることができ、本考案に係る各種効果を有効に確保できる。
【００１６】
（５）  好適な態様により、第一ガイド部１１及び／又は第二ガイド部１２として、回動によりガイドするガイドプーリ１１ｒ，１２ｒ又は固定した曲面によりガイドするガイドピン１１ｐ…を用いれば、一本の紐をガイドする比較的小型のガイド部品で構成できるため、より大きなパフォーマンスを得る観点から最も望ましい形態として実施できる。
【００１７】
（６）  好適な態様により、ガイド機構部５として、基板部３の載置面３ｆにおける下端辺３ｄの近傍であって左端辺３ｐの近傍又は右端辺３ｑの近傍から第二ガイド部１２までの間に配することにより引張紐部４の引張り位置をガイドする第三ガイド部１３となるガイドパイプ（又はガイドスリット）１３ｅを設ければ、引張紐部４に対する引張り操作を安定かつ確実に行うことができる。
【図面の簡単な説明】
【００１８】
【図１】本考案の好適実施形態に係る書道台の使用状態を示す斜視図、
【図２】同書道台の平面図、
【図３】同書道台の背面図、
【図４】同書道台に備えるガイド機構部の一部を示す一部断面平面図、
【図５】同書道台の使用方法の説明図、
【考案を実施するための形態】
【００１９】
次に、本考案に係る好適実施形態を挙げ、図面に基づき詳細に説明する。
【００２０】
まず、本実施形態に係る書道台１の構成について、図１〜図４を参照して具体的に説明する。
【００２１】
書道台１は、基本部品として基板部３を備える。この基板部３は、例えば、一枚の木製の板材により形成することができ、基板部３の上面は下敷部２を載置可能な載置面３ｆとして形成するとともに、基板部３の下面は別体となる他の台１００の上に載置可能に構成する。この場合、基板部３の上面及び下面は、特別な加工や処理を施すことなく、平坦面を確保できれば足りるが、必要により、載置面３ｆは、塗装を施すなどにより摩擦係数を小さくしてよいし、下面は、摩擦係数を大きくして無用な位置ズレを防止するようにしてもよい。また、厚さは他の台１００の上に載置した際に無用な撓みや歪みが生じないように所定の厚さを選定し、必要な剛性を持たせることが望ましい。さらに、基板部３の大きさは、使用する下敷部２を載置可能な載置面３ｆを確保できるサイズを確保するとともに、長手方向Ｆｖを縦方向（上下方向）にして使用できるようにする。
【００２２】
このように、基板部３を、別体となる他の台１００の上に載置可能に構成すれば、任意に選択できる様々な高さで使用できる。したがって、例えば、台１００として、通常の机を利用すれば、通常の椅子に座った状態で使用できるとともに、高さの低いダンボール箱等を利用すれば、畳み等に座った状態で使用できるなど、使い勝手及び利便性に優れた書道台１として提供できる利点がある。
【００２３】
なお、基板部３は一体形成した一枚の基板部３を用いることができるが、必要により、図２に示すように、仮想線で示す位置Ｋで二分割し、ヒンジ（蝶番）２１により回動可能に結合することにより、折り畳み（二つ折り）可能に構成してもよい。
【００２４】
また、この基板部３の載置面３ｆに敷いて使用する下敷部２を備える。この下敷部２は、柔軟性を有するシート状をなし、下敷部２のサイズとして、上面に条幅用紙Ｐを載置できる大きさ及び形状を選定する。一方、引張紐部４を備え、この引張紐部４の一端部４ｓを、下敷部２の上端辺２ｕの左右方向中央位置に結合する。この場合、引張紐部４の一端部４ｓは、下敷部２の上端辺２ｕ中央位置に直接結合してもよいし、実施形態で示すように、下敷部２の上端辺２ｕの左右間に設けた補助紐４ｍの中央に間接的に結合してもよい。なお、２２，２２は補助紐４ｍの両端を下敷部２に結合するための結合具を示す。
【００２５】
一方、基板部３の載置面３ｆにはガイド機構部５を配設する。このガイド機構部５は、上述した引張紐部４をガイドし、かつ引張紐部４の他端部４ｔ側を引張った際に下敷部２を書道を行う位置Ｘｍから離間する方向Ｆｖｆに移動させる機能を備えている。したがって、ガイド機構部５は、基板部３の載置面３ｆにおける上端辺３ｕの近傍であって左右方向Ｆｐのほぼ中央Ｘｃに配した第一ガイド部１１と、載置面３ｆにおける上端辺３ｕの近傍であって左端辺３ｐの近傍（又は右端辺３ｑの近傍）に配した第二ガイド部１２を備える。このようなガイド機構部５を設ければ、基本的に、二つのガイドにより比較的シンプルな構成とすることができ、本考案に係る各種効果を有効に確保できる利点がある。
【００２６】
この第一ガイド部１１と第二ガイド部１２には、図４（ａ）に示すような回動自在に配設したガイドプーリ１１ｒ，１２ｒを用いることができる。これにより、ガイドプーリ１１ｒ，１２ｒに掛けた引張紐部４は、ガイドプーリ１１ｒ，１２ｒの回動によりガイドされ、ほぼ９０〔°〕ずつ方向が変更される。なお、第一ガイド部１１と第二ガイド部１２には、図４（ｂ）に示すような、ガイドピン１１ｐ…を用いてもよく、ガイドプーリ１１ｒ，１２ｒと同様にガイドすることができる。即ち、二つのガイドピン１１ｐ…に掛けた引張紐部４は、固定した各ガイドピン１１ｐ…の周面（曲面）によりガイドされ、ほぼ９０〔°〕ずつ方向が変更される。図４中、Ｆｍはガイドされた引張紐部４の移動方向、Ｆｒはガイドプーリ１１ｒの回動方向を示す。
【００２７】
このように、第一ガイド部１１及び第二ガイド部１２を構成するに際し、回動によりガイドするガイドプーリ１１ｒ，１２ｒ又は固定した曲面によりガイドするガイドピン１１ｐ…を用いれば、一本の紐をガイドする比較的小型のガイド部品で構成できるため、より大きなパフォーマンスを得る観点から最も望ましい形態として実施できる利点がある。
【００２８】
さらに、ガイド機構部５には、基板部３の下端辺３ｄの近傍であって左端辺３ｐの近傍（又は右端辺３ｑの近傍）から第二ガイド部１２までの間に配することにより引張紐部４の引張り位置をガイドする第三ガイド部１３を配設する。この第三ガイド部１３は、ガイドパイプ１３ｅを用いて構成できる。なお、ガイドパイプ１３ｅの代わりに、同様の機能を発揮するガイドスリットを用いてもよい。このようなガイドパイプ（又はガイドスリット）１３ｅを設ければ、引張紐部４に対する引張り操作を安定かつ確実に行うことができる利点がある。
【００２９】
これにより、引張紐部４の一端部４ｓは、前述したように、下敷部２の上端辺２ｕの左右方向中央位置に結合するとともに、引張紐部４の他端部４ｔ側は、図２に示すように、第一ガイド部１１を構成するガイドプーリ１１ｒに掛けることにより９０〔°〕方向を変更した後、第二ガイド部１２を構成するガイドプーリ１２ｒに掛けることにより９０〔°〕方向を変更する。そして、この後、第三ガイド部１３を構成するガイドパイプ１３ｅを通した後、基板部３の下端辺３ｄから書道を行う位置Ｘｍに導けばよい。
【００３０】
次に、本実施形態に係る書道台１の使用方法について、図５（ａ），（ｂ）及び各図を参照して説明する。
【００３１】
まず、書道台１を使用する際には、図３に示すように、別体となる机やテーブル等の他の台１００を用意し、その上面に、本実施形態に係る書道台１における基板部３の下面を載置する。このように、机やテーブル等の台１００の上面に書道台１を載置しても、書道台１の載置面３ｆは基板部３の厚さ分だけ高くなる程度となるため、図１に示すように、書道（筆書き）を行う人Ｈにとっては、椅子Ｃに座った状態でほぼ適切な高さとなる。
【００３２】
次いで、図２に示すように、引張紐部４を手前に引張り、下敷部２を、基板部３の上端辺３ｕの付近まで移動させた状態にセットする。そして、この下敷部２の上に条幅用紙Ｐを置くとともに、条幅用紙Ｐの上端付近に、文鎮３１を載置する。これにより、条幅用紙Ｐを下敷部２の上面にセットすることができる。
【００３３】
一方、この状態で下敷部２を手前に引張ることにより、下敷部２を基板部３の上端辺３ｕから離間させるとともに、条幅用紙Ｐにおける最初に筆書きを行う面が、筆書きを行う人Ｈにとって最適となる位置まで移動させる。この際、下敷部２の下端側は、基板部３の下端辺３ｄから下方へ垂れた状態となるが、そのまま垂らしておく。なお、必要により皺等が付かないように床面上の位置を変えることが望ましい。
【００３４】
この状態を図５（ａ）に示す。これにより、図１に示すように、筆書きを行う人Ｈは、最初の筆書きを行うことができる。次いで、最初の筆書きが終了したなら、ガイドパイプ１３ｅから導出されている引張紐部４の他端部４ｔ側を手で引張る（図１参照）。これにより、引張紐部４は、書道を行う位置Ｘｍ側へ移動、即ち、二つのガイドプーリ１１ｒ，１２ｒ及びガイドパイプ１３ｅにガイドされて移動し、下敷部２を基板部３の上端辺３ｕ側へ移動させる。
【００３５】
この状態を図５（ｂ）に示す。これにより、筆書きを行う人Ｈは、二回目の筆書きを行うことができる。以降、このような操作と筆書きを繰り返すことにより、条幅用紙Ｐの上から下までの全面に対して容易かつスムースに筆書きすることができる。
【００３６】
よって、このような本実施形態に係る書道台１によれば、基本的な構成として、条幅用紙Ｐの下に敷く当該条幅用紙Ｐの大きさに対応した柔軟性を有するシート状の下敷部２と、この下敷部２を載置可能な載置面３ｆを有し、かつ長手方向Ｆｖが縦方向（上下方向）となる基板部３と、下敷部２の上端辺２ｕに一端部４ｓを結合し、かつ書道を行う位置Ｘｍで他端部４ｔ側を引張ることができる引張紐部４と、この引張紐部４をガイドし、かつ他端部４ｔ側を引張った際に下敷部２を書道を行う位置Ｘｍから離間する方向Ｆｖｆに移動させるガイド機構部５とを備えてなるため、基本的に大型のローラ部品や脚部品等が不要となるため、比較的簡易な構成とすることができる。したがって、部品点数の削減及び製作工数の低減を実現でき、もって、廉価な書道台１として提供できる。また、全体のサイズダウン及び軽量化を図れるため、保管性に優れるとともに、持ち運び（携帯）も容易になり、十分な実用性を備える書道台１として提供できる。しかも、手元の引張紐部４を引き寄せるのみで、下敷部２を容易に移動することができる。即ち、煩雑な操作を必要とせず、自然体において引っ張り操作を行うことができるとともに、操作力も僅かで足りる。したがって、下敷部２を移動させるための操作に影響を受けることなく、本来の書道に集中することができる。
【００３７】
以上、好適実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３８】
例えば、基板部３は、別体となる他の台１００の上に載置可能に構成した場合を示したが、必要により脚部を設けることにより他の台１００に載置することなく使用できるようにしてもよい。また、ガイド機構部５の構成として、基板部３の載置面３ｆにおける上端辺３ｕの近傍であって左右方向Ｆｐのほぼ中央Ｘｃに配した第一ガイド部１１と、載置面３ｆにおける上端辺３ｕの近傍であって左端辺３ｐの近傍又は右端辺３ｑの近傍に配した第二ガイド部１２を設けた場合を例示したが、その他、一つのガイド部を設け、このガイド部に引張紐部４を掛けることにより方向を１８０〔°〕反転させ、基板部３の下面を配して導くような形態であってもよく、要は、下敷部２の上端辺２ｕに一端部４ｓを結合し、かつ書道を行う位置Ｘｍで他端部４ｔ側を引張ることができる引張紐部４をガイドし、本考案の機能を実現できればよい。なお、第三ガイド部１３は必ずしも設けることを要しない。また、第二ガイド部１２（及び第三ガイド部１３）は基板部３に対して着脱式に構成し、左側に付け替えることができるようにしてもよい。これにより、左効き用にセットすることができる。
【産業上の利用可能性】
【００３９】
本考案に係る書道台は、縦方向に長い書道用紙（条幅用紙）に筆書きを行う際に利用できる。
【符号の説明】
【００４０】
１：書道台，２：下敷部，２ｕ：下敷部の上端辺，３：基板部，３ｆ：載置面，３ｐ：載置面における左端辺，３ｑ：載置面における右端辺，３ｕ：載置面における上端辺，３ｄ：載置面における下端辺，４：引張紐部，４ｓ：引張紐部の一端部，４ｔ：引張紐部の他端部，５：ガイド機構部，１１：第一ガイド部，１２：第二ガイド部，１１ｒ：ガイドプーリ，１２ｒ：ガイドプーリ，１１ｐ…：ガイドピン，１３：第三ガイド部，１３ｅ：ガイドパイプ（又はガイドスリット），１００：他の台，Ｐ：条幅用紙，Ｆｖ：長手方向，Ｆｖｆ：書道を行う位置から離間する方向，Ｆｐ：左右方向，Ｘｍ：書道を行う位置，Ｘｃ：載置面における上端辺近傍であって左右方向のほぼ中央
【図１】
0003194782.tif 000003
【図２】
0003194782.tif 000004
【図３】
0003194782.tif 000005
【図４】
0003194782.tif 000006
【図５】
0003194782.tif 000007